(57)【要約】【課題】ディスプレイ装置およびその制御方法を提供する。【解決手段】ディスプレイ装置が開示される。ディスプレイパネルは、第一出力イメージに従って、第一イメージを表示する。タイミングコントローラーは、受信ユニット、圧縮ユニット、解凍ユニットおよび処理ユニットを含む。受信ユニットは、第一入力イメージおよび第二入力イメージを受信し、第一処理イメージおよび第二処理イメージを出力する。第一入力イメージは第一処理イメージと同じである。第二入力イメージは第二処理イメージと同じである。圧縮ユニットは、第一処理イメージにしたがって、第一圧縮イメージを生成する。受信ユニットは、第一圧縮イメージを保存する。解凍ユニットは、保存された第一圧縮イメージを処理して、第一解凍イメージを生成する。処理ユニットは、第二処理イメージおよび第一解凍イメージを処理して、第一出力イメージを生成する。【選択図】図２
2013246443.tif 000002
【特許請求の範囲】
【請求項１】
ディスプレイ装置であって、
第一出力イメージにしたがって、第一イメージを表示するディスプレイパネル、および、
第一入力イメージおよび第二入力イメージを受信し、第一処理イメージおよび第二処理イメージを出力し、前記第一入力イメージが前記第一処理イメージと同じで、前記第二入力イメージが前記第二処理イメージと同じ受信ユニット;
前記第一処理イメージに従って、第一圧縮イメージを生成し、前記受信ユニットが前記第一圧縮イメージを保存する圧縮ユニット;
前記受信ユニットに保存された前記第一圧縮イメージを処理して、第一解凍イメージを生成する解凍ユニット;および、  
前記第二処理イメージおよび前記第一解凍イメージを処理して、前記第一出力イメージを生成する処理ユニット、
を含むタイミングコントローラー、
を含むことを特徴とするディスプレイ装置。
【請求項２】
前記処理ユニットは、オーバードライブ工程にしたがって、前記第二処理イメージおよび前記第一解凍イメージを処理することを特徴とする請求項１に記載のディスプレイ装置。
【請求項３】
前記受信ユニットは、前記第一および前記第二入力イメージを保存するストレージモジュールを含み、前記第一および前記第二入力イメージ  を前記第一および前記第二処理イメージとすることを特徴とする請求項１に記載のディスプレイ装置。
【請求項４】
前記第一解凍イメージは前記第一入力イメージと同じであることを特徴とする請求項１に記載のディスプレイ装置。
【請求項５】
前記圧縮ユニットは、前記第一処理イメージを圧縮して、前記第一圧縮イメージを生成することを特徴とする請求項１に記載のディスプレイ装置。
【請求項６】
さらに、
基準値にしたがって、前記第二処理イメージを調整して、調整データを生成し、前記圧縮ユニットが前記調整データを圧縮して、第二圧縮イメージを生成し、前記受信ユニットが、前記第二圧縮イメージを保存し、前記解凍ユニットが、受信ユニットに保存された前記第二圧縮イメージを処理して、第二解凍イメージを生成し、前記処理ユニットが、第三処理イメージおよび前記第二解凍イメージを処理して、第二出力イメージを生成し、前記第二出力イメージにしたがって、前記ディスプレイパネルが第二イメージを表示する調整ユニットを含むことを特徴とする請求項１に記載のディスプレイ装置。
【請求項７】
前記基準値は前記第一解凍イメージであることを特徴とする請求項６に記載のディスプレイ装置。
【請求項８】
前記調整ユニットは、オーバードライブ工程にしたがって、前記基準値および前記第二処理イメージを処理し、前記調整イメージを生成することを特徴とする請求項７に記載のディスプレイ装置。
【請求項９】
前記受信ユニットは、
前記第一入力イメージを圧縮し、第二圧縮イメージを生成し、前記第二入力イメージを圧縮して、第三圧縮イメージを生成する圧縮モジュールと、
前記第二および第三圧縮イメージを保存するストレージモジュール、および、  
前記ストレージモジュールに保存される前記第二圧縮イメージを解凍して、第二解凍イメージを生成し、前記ストレージモジュールに保存される前記第三圧縮イメージを解凍して、第三解凍イメージを生成する解凍モジュール、を含み、
前記解凍イメージは前記第一処理イメージと同じ、前記第三解凍イメージは前記第二処理イメージと同じであることを特徴とする請求項１に記載のディスプレイ装置。
【請求項１０】
前記第二解凍イメージは前記第一入力イメージと同じ、前記第三解凍イメージは前記第二入力イメージと同じであることを特徴とする請求項９に記載のディスプレイ装置。
【請求項１１】
前記ディスプレイパネルの解像度は3840x2160であることを特徴とする請求項１に記載のディスプレイ装置。
【請求項１２】
ディスプレイ装置の制御方法であって、
第一入力イメージおよび第二入力イメージを受信する工程と、
前記第一および前記第二入力イメージにしたがって、第一処理イメージおよび第二処理イメージを提供し、前記第一処理イメージが前記第一入力イメージと同じ、前記第二処理イメージが前記第二入力イメージである工程と、
前記第一処理イメージに従って、第一圧縮イメージを生成する工程と、
前記第一圧縮イメージを保存する工程と、
前記保存第一圧縮イメージを解凍して、第一解凍イメージを生成する工程と、
前記第二処理イメージおよび前記第一解凍イメージを処理して、第一出力イメージを生成する工程と、  
前記第一出力イメージを前記ディスプレイ装置に提供し、第一イメージを提供する工程と、
を含むことを特徴とする制御方法。
【請求項１３】
前記第二処理イメージおよび前記第一解凍イメージを処理し、前記第一出力イメージを生成する前記工程は、オーバードライブ工程にしたがって、前記第二処理イメージおよび前記第一解凍イメージを処理することであることを特徴とする請求項１２に記載の制御方法。
【請求項１４】
前記第一および前記第二入力イメージにしたがって、前記第一処理イメージおよび前記第二処理イメージを提供する前記工程は、
前記第一および前記第二入力イメージを保存する工程と、
前記第一入力イメージを読み取って、第一読み取り結果を生成し、前記第一読み取り結果を前記第一処理イメージとする工程、および、
前記第二入力イメージを読み取って、第二読み取り結果を生成し、前記第二読み取り結果を前記第二処理イメージとする工程、
を含むことを特徴とする請求項１２に記載の制御方法。
【請求項１５】
前記第一解凍イメージは前記第一入力イメージと同じであることを特徴とする請求項１２に記載の制御方法。
【請求項１６】
さらに、
基準値にしたがって、前記第二処理イメージを調整して、調整データを生成する工程と、
前記調整データを圧縮して、第二圧縮イメージを生成する工程と、
前記第二圧縮イメージを保存する工程と、
保存された前記第二圧縮イメージを解凍して、第二解凍イメージを生成する工程と、
第三処理イメージおよび前記第二解凍イメージを処理して、第二出力イメージを生成する工程、および、  
前記第二出力イメージを前記ディスプレイ装置に提供して、第二イメージを表示する工程、を含むことを特徴とする請求項１２に記載の制御方法。
【請求項１７】
前記基準値は前記第一解凍イメージであることを特徴とする請求項１６に記載の制御方法。
【請求項１８】
基準値にしたがって、前記第二処理イメージを調整して、前記調整データを生成する前記工程は、
オーバードライブ工程にしたがって、前記基準値および前記第二処理イメージを処理する工程を含むことを特徴とする請求項１７に記載の制御方法。
【請求項１９】
前記第一および前記第二入力イメージにしたがって、前記第一処理イメージおよび前記第二処理イメージを提供する前記工程は、
前記第一入力イメージを圧縮して、第二圧縮イメージを生成し、前記第二入力イメージを圧縮して、第三圧縮イメージを生成する工程と、
前記第二および前記第三圧縮イメージを保存する工程と、  
保存された前記第二圧縮イメージを解凍して、第二解凍イメージを生成し、保存された前記第三圧縮イメージを解凍して、第三解凍イメージを生成する工程、および、  
前記第二解凍イメージを前記第一処理イメージとし、前記第三解凍イメージを前記第二処理イメージとする工程、
を含むことを特徴とする請求項１２に記載の制御方法。
【請求項２０】
前記第二解凍イメージは前記第一入力イメージと同じで、前記第三解凍イメージは前記第二入力イメージと同じであることを特徴とする請求項１９に記載の制御方法。
【発明の詳細な説明】
【技術分野】
【０００１】
本発明は、ディスプレイ装置に関するものであって、特に、タイミングコントローラーを含むディスプレイ装置に関するものである。
【背景技術】
【０００２】
陰極線管(ＣＲＴ)は安価で、鮮明度が高いので、テレビとコンピュータに、幅広く用いられている。技術の発展に伴い、新しいフラットパネルディスプレイも不断に発展している。ＣＲＴディスプレイと比較すると、大きいディスプレイパネルが必要な時、フラットパネルディスプレイの重量は、実質的に変化しない。
【０００３】
ディスプレイパネルの解像度の増加に伴い、ディスプレイパネルに必要とされるイメージデータ量も増加する。イメージデータにアクセスするため、従来の方法は、メモリの数量とバンド幅を増加させる。よって、フラットパネルディスプレイのコストが増加する。
【発明の概要】
【発明が解決しようとする課題】
【０００４】
本発明は、ディスプレイ装置およびその制御方法を提供することを目的とする。
【課題を解決するための手段】
【０００５】
一態様によると、ディスプレイ装置は、ディスプレイパネルおよびタイミングコントローラーを含む。ディスプレイパネルは、第一出力イメージにしたがって、第一イメージを表示する。タイミングコントローラーは、受信ユニット、圧縮ユニット、解凍ユニットおよび処理ユニットを含む。受信ユニットは、第一入力イメージおよび第二入力イメージを受信して、第一処理イメージおよび第二処理イメージを出力する。第一入力イメージは第一処理イメージと同じである。第二入力イメージは第二処理イメージと同じである。圧縮ユニットは、第一処理イメージにしたがって、第一圧縮イメージを生成する。受信ユニットは第一圧縮イメージを保存する。解凍ユニットは、受信ユニットに保存された第一圧縮イメージを処理して、第一解凍イメージを生成する。処理ユニットは、第二処理イメージおよび第一解凍イメージを処理して、第一出力イメージを生成する。
【０００６】
ディスプレイ装置の制御方法が提供される。ディスプレイ装置の制御方法の具体例が以下で記述される。第一入力イメージおよび第二入力イメージが受信される。第一および第二入力イメージにしたがって、第一処理イメージおよび第二処理イメージが提供される。第一処理イメージは第一入力イメージと同じである。第二処理イメージは第二入力イメージと同じである。第一圧縮イメージは、第一処理イメージにしたがって生成される。第一圧縮イメージが保存される。保存された第一圧縮イメージが解凍されて、第一解凍イメージを生成する。第二処理イメージおよび第一解凍イメージが処理されて、第一出力イメージを生成する。第一出力イメージがディスプレイ装置に提供されて、第一イメージを表示する。
【発明の効果】
【０００７】
本発明により、メモリのバンド幅が減少し、ディスプレイ装置は、すみやかにイメージを表示することができる。
【図面の簡単な説明】
【０００８】
【図１】本発明の一新規態様によるディスプレイ装置を示す図である。
【図２】本発明の別の態様によるタイミングコントローラーを示す図である。
【図３】本発明の別の態様によるタイミングコントローラーを示す図
【図４】本発明の別の態様によるタイミングコントローラーを示す図
【図５】本発明の一態様による制御方法を示す図である。
【図６】本発明の一態様によるステップＳ５０２を示す図である。
【発明を実施するための形態】
【０００９】
図１は、一新規態様によるディスプレイ装置を示す図である。ディスプレイ装置１００は、ディスプレイパネル１０１およびタイミングコントローラー  (ＴＣＯＮ)１０２を含む。本発明は、ディスプレイ装置１００の種類を限定しない。一態様において、ディスプレイ装置１００は、ＰＤＡ、携帯電話、デジタルカメラ  (ＤＳＣ)、テレビ、ＧＰＳ、カーディスプレイ、航空電子工学ディスプレイ、デジタルフォトフレーム、ノート型パソコン  (ＮＢ)またはパソコン  (ＰＣ)である。
【００１０】
ディスプレイパネル１０１は、フレキシブルプリント回路  (ＦＰＣ)１０３  により、タイミングコントローラー１０２により提供される出力イメージ  SDATA  を受信し、出力イメージ  SDATAにしたがって、対応するイメージを表示する。本発明は、ディスプレイパネル１０１の種類と解像度を限定しない。一態様において、ディスプレイパネル１０１は、自己発光型パネルまたは反射型パネルである。別の態様において、ディスプレイパネル１０１は、ＱＦＨＤ(quad  full  high  definition)パネルで、ディスプレイパネル１０１の解像度は3840x2160である。
【００１１】
この態様において、ディスプレイパネル１０１は、スキャングループ１１０、１２０、データグループ１３０およびディスプレイ領域１６０を含むが、これに限定されない。別の態様において、ディスプレイ領域１６０中で、回路構造が、イメージを表示することができる限り、任意の回路構造がディスプレイパネル１０１に適用される。
【００１２】
図１に示されるように、スキャングループ１１０は、ディスプレイ領域１６０の左側に位置し、ゲートドライバ  １１１~１１４を含む。スキャングループ１２０はディスプレイ領域１６０の右側に位置し、ゲートドライバ１１５~１１８を含む。ゲートドライバ１１１~１１８は、複数のスキャン信号をディスプレイ領域１６０中の画素に提供する。本発明は、スキャングループの数量と位置を限定しない。一態様において、ディスプレイパネル１０１は単一スキャングループだけを含み、ディスプレイ領域１６０の任意の一側に位置する。別の態様において、ゲートドライバの数量は、ディスプレイ領域１６０中の画素の数量に比例する。
【００１３】
この態様において、データグループ１３０は、ソースドライバ  １３１~１５４を含んで、複数のデータ信号をディスプレイ領域１６０中の画素に提供する。本発明は、ソースドライバの数量を制限しない。一態様において、ソースドライバの数量は、ディスプレイ領域１６０中の画素の数量に関連している。
【００１４】
タイミングコントローラー１０２は、入力イメージ  SIにしたがって、出力イメージ  SDATA  をディスプレイパネル１０１に生成する。本発明は、入力イメージ  SIのフォーマットを限定しない。一態様において、入力イメージ  SI  は低電圧差動信号  (LVDS)  フォーマットである。    
明確にするため、３個の入力イメージ  SI1~SI3  および３個の出力イメージ  SDATA1~SDATA3  だけが例として示され、タイミングコントローラー１０２の操作を説明する。図２は一新規態様によるタイミングコントローラーを示す図である。  この態様において、タイミングコントローラー１０２は、受信ユニット２０１、圧縮ユニット２０２、解凍ユニット２０３および処理ユニット２０４を含む。
【００１５】
受信ユニット２０１は、入力イメージ  SI1~SI3にしたがって、処理イメージ  SP1~SP3  を生成する。本発明は、どのように、受信ユニット２０１が処理イメージ  SP1~SP3を生成するかを限定しない。この態様において、受信ユニット２０１は、ストレージモジュール２０５を含んで、入力イメージ  SI1~SI3を保存する。ストレージモジュール２０５は、アクセス信号  (図示しない)にしたがって、保存データを獲得し、得られたデータを、圧縮ユニット２０２の処理イメージ  (たとえば、処理イメージ  SP1~SP3のひとつ)とする。一態様において、ストレージモジュール２０５は、ダイナミックＲＡＭ(ＤＲＡＭ)を含む。
【００１６】
圧縮ユニット２０２は、処理イメージ  SP1~SP3  を含んで、圧縮イメージ  SPC1~SPC3  を生成し、圧縮イメージ  SPC1~SPC3  を受信ユニット２０１に保存する。解凍ユニット２０３は、受信ユニット２０１に保存された圧縮イメージ  SPC1~SPC3  を解凍し、解凍イメージ  SPCD1~SPCD3を生成する。この態様において、解凍イメージ  SPCD1  は入力イメージ  SI1と同じで、解凍イメージ  SPCD2  は入力イメージ  SI2と同じで、解凍イメージ  SPCD3  は入力イメージ  SI3と同じである。
【００１７】
処理ユニット２０４は、受信ユニット２０１により提供される処理イメージ  SP1~SP3  を読み取り、処理して、出力イメージ  SDATA1~SDATA3を生成する。ディスプレイパネル１０１は、出力イメージ  SDATA1~SDATA3にしたがって、３個のイメージを表示する。本発明は、どのように、処理ユニット２０４が、受信ユニット２０１により提供される処理イメージ  SP1~SP3を処理するかを限定しない。  一態様において、処理ユニット２０４は、オーバードライブ(ＯＤ)工程にしたがって、処理イメージ  SP1  および第一の前のイメージを処理し、出力イメージ  SDATA1を生成し、ＯＤに従って、処理イメージ  SP2  および第二の前のイメージを処理し、出力イメージ  SDATA2を生成し、ＯＤ工程にしたがって、処理イメージ  SP3  および第三の前のイメージを処理し、出力イメージ  SDATA3を生成する。
【００１８】
たとえば、第一期間中、受信ユニット２０１は、入力イメージ  SI1を受信および保存する。処理ユニット２０４は、受信ユニット２０１に保存された  入力イメージ  SI1  を読み取り、読み取り結果は処理イメージ  SP1となる。処理ユニット２０４は、ＯＤ工程に従って、処理イメージ  SP1  および解凍イメージ  SPCD0  を処理して、出力イメージ  SDATA1  を生成する。ディスプレイパネル１０１は、出力イメージ  SDATA1にしたがって、第一イメージを表示する。
一態様において、ＯＤ工程は二個のイメージを必要とするが、入力イメージ  SI1の前に生じるイメージがない。よって、解凍ユニット２０３は、ストレージモジュール２０５に保存される所定イメージ  SPC0を解凍し、解凍結果  (すなわち、SPCD0)  を処理ユニット２０４に提供する。別の態様において、入力イメージ  SI1の前に生じるイメージがないので、処理ユニット２０４は、処理イメージ  SP1のＯＤ工程を実行しない。
【００１９】
処理ユニット２０４が処理イメージ  SP1を処理する時、圧縮ユニット２０２は、処理ユニット２０４により既に処理されたデータセグメントを圧縮し、圧縮結果をストレージモジュール２０５に保存する。よって、処理ユニット２０４がＯＤ工程を終了後、圧縮ユニット２０２は、処理イメージ  SP1の圧縮動作も終了する。このほか、圧縮イメージ  SPC1  は、ストレージモジュール２０５に保存される入力イメージ  SI1を代替するので、ストレージモジュール２０５のバンド幅が減少し、ストレージモジュール２０５の利用可能部分が増加する。
【００２０】
第二期間中、受信ユニット２０１は、入力イメージ  SI2を受信および保存する。処理ユニット２０４は、受信ユニット２０１に保存された入力イメージ  SI2を読み取り、読み取り結果は処理イメージ  SP2となる。ＯＤ工程を実行するため、解凍ユニット２０３は、ストレージユニット２０５に保存される圧縮イメージ  SPC1  を読み取り、解凍して、解凍イメージ  SPCD1を生成する。一態様において、解凍イメージ  SPCD1  は入力イメージ  SI1と同じである。
【００２１】
処理ユニット２０４は、ＯＤ工程に従って、処理イメージ  SP2  および解凍イメージ  SPCD1  を処理して、出力イメージ  SDATA2  を生成する。ディスプレイパネル１０１は、出力イメージ  SDATA2にしたがって、第二イメージを表示する。この態様において、処理ユニット２０４が処理イメージ  SP2を処理する時、圧縮ユニット２０２は、処理ユニット２０４により既に処理されたデータセグメントを圧縮し、圧縮結果をストレージモジュール２０５に保存する。よって、処理ユニット２０４がＯＤ工程を終了後、圧縮ユニット２０２は、処理イメージ  SP2  の圧縮動作も終了し、圧縮イメージ  SPC2を生成する。圧縮イメージ  SPC2は、ストレージモジュール２０５に保存される入力イメージ  SI2を代替する。
【００２２】
第三期間中、受信ユニット２０１は、入力イメージ  SI3を受信および保存する。処理ユニット２０４は、受信ユニット２０１に保存された入力イメージ  SI3  を読み取り、読み取り結果は処理イメージ  SP3となる。解凍ユニット２０３は、ストレージユニット２０５に保存された圧縮イメージ  SPC2  を読み取り、解凍して、解凍イメージ  SPCD2を生成する。一態様において、解凍イメージ  SPCD2  は入力イメージ  SI2と同じである。
【００２３】
処理ユニット２０４は、ＯＤ工程に従って、処理イメージ  SP3  および解凍イメージ  SPCD2  を処理して、出力イメージ  SDATA3  を生成する。ディスプレイパネル１０１は、出力イメージ  SDATA3  にしたがって、第三イメージを表示する。処理ユニット２０４が処理イメージ  SP3を処理する時、圧縮ユニット２０２は、処理ユニット２０４により既に処理されたデータセグメントを圧縮し、圧縮結果をストレージモジュール２０５に保存する。よって、処理ユニット２０４がＯＤ工程を終了後、圧縮ユニット２０２は、処理イメージ  SP3の圧縮動作も終了し、圧縮イメージ  SPC3を生成する。圧縮イメージ  SPC3  は、ストレージモジュール２０５に保存される入力イメージ  SI3を代替する。
【００２４】
この態様において、処理ユニット２０４は、二イメージに、ＯＤ工程を実行するので、ディスプレイパネル１０１の応答速度を速くすることができる。さらに、ＯＤ工程の前のイメージの完全性に対する要求が高くないので、圧縮ユニット２０２が前のイメージを圧縮し、圧縮結果をストレージモジュール２０５に保存するとき、ＯＤ効果が維持され、ストレージモジュール２０５のバンド幅が減少する。
【００２５】
図３は、一態様によるタイミングコントローラーを示す図である。調整ユニット３０６の追加を除いて、図３は図２と同じである。受信ユニット３０１、圧縮ユニット３０２、解凍ユニット３０３および処理ユニット３０４は、受信ユニット２０１、圧縮ユニット２０２、解凍ユニット２０３および処理ユニット２０４と同じなので、受信ユニット３０１、圧縮ユニット３０２、解凍ユニット３０３および処理ユニット３０４の説明は省略する。
【００２６】
この態様において、調整ユニット３０６は、基準値  SREF1~SREF3にしたがって、処理イメージ  SP1~SP3  を調整して、調整データ  SA1~SA3  を生成する。圧縮ユニット３０２は、調整データ  SA1~SA3  を圧縮して、圧縮イメージ  SAC1~SAC3  を生成し、圧縮イメージ  SAC1~SAC3  を受信ユニット３０１に保存する。解凍ユニット３０３は、受信ユニット３０１に保存された圧縮イメージ  SAC1~SAC3を読み取り、解凍して、解凍イメージ  SACD1~SACD3を生成する。
【００２７】
本発明は、基準値  SREF1~SREF3のソースを限定しない。一態様において、基準値  SREF1~SREF3  は所定値である。別の態様において、基準値  SREF1~SREF3は解凍イメージである。たとえば、各基準値  SREF1~SREF3  は前のイメージである。
【００２８】
調整ユニット３０６は、前のイメージにしたがって、現在のイメージを調整する。この態様において、解凍イメージ  SACD1  は前のイメージとなり、入力イメージ  SI1と同じである。たとえば、調整ユニット３０６は、前のイメージとなる解凍イメージ  SACD1  にしたがって、現在のイメージとなる処理イメージ  SP2を調整し、調整結果を圧縮ユニット３０２に提供する。
【００２９】
同様に、調整ユニット３０６は、前のイメージとなる解凍イメージ  SACD2  にしたがって、現在のイメージとなる処理イメージ  SP3  を調整し、調整結果を圧縮ユニット３０２に提供する。本発明は、どのように、調整ユニット３０６が処理イメージ  SP1~SP3を調整するを限定しない。一態様において、調整ユニット３０６は、ＯＤ工程にしたがって、基準値  SREF1  および処理イメージ  SP1  を処理して、調整データ  SA1  を生成し、ＯＤ工程にしたがって、基準値  SREF2  および処理イメージ  SP2  を処理して、調整データ  SA2  を生成し、ＯＤ工程にしたがって、基準値  SREF3  および処理イメージ  SP3  を処理し、調整データ  SA3を生成する。
【００３０】
図４は、一新規態様によるタイミングコントローラーを示す図である。受信ユニット４０１は、圧縮モジュール４０７、ストレージモジュール４０８および解凍ユニット４０９を含むことを除いて、図４は図３と同じである。  
圧縮モジュール４０７は、入力イメージSI1~SI3  を圧縮して、圧縮イメージ  SC1~SC3を生成する。本発明は、圧縮モジュール４０７および圧縮ユニット２０２または３０２の圧縮率を限定しない。一態様において、圧縮モジュール４０７の圧縮率は、圧縮ユニット２０２または３０２の圧縮率より高い、低い、または、等しい。
【００３１】
ストレージモジュール４０８は、圧縮イメージ  SC1~SC3を保存する。この態様において、ストレージモジュール４０８は、さらに、圧縮ユニット４０２により生成される圧縮イメージSAC1~SAC3  を保存する。ストレージモジュール４０８は圧縮イメージを保存するので、ストレージモジュール４０８のバンド幅が減少する。  
解凍モジュール４０９は、ストレージモジュール４０８に保存される圧縮イメージSC1~SC3  を解凍して、解凍イメージ  SDC1~SDC3を生成し、解凍イメージ  SDC1~SDC3  を処理イメージ  SP1~SP3  とし、処理イメージ  SP1~SP3  を処理ユニット４０４に提供する。一態様において、処理イメージ  SP1  は入力イメージ  SI1と同じ、処理イメージ  SP2は入力イメージ  SI2と同じ、処理イメージ  SP3は入力イメージ  SI3と同じである。
【００３２】
図５は、一新規態様による制御方法を示す図である。制御方法がディスプレイ装置に適用されて、イメージを表示する。まず、第一入力イメージおよび第二入力イメージが受信される(ステップＳ５０１)。本発明は、第一および第二入力イメージのフォーマットを限定しない。一態様において、第一および第二入力イメージはＬＶＤＳフォーマットである。
【００３３】
第一処理イメージおよび第二処理イメージが、第一および第二入力イメージに従って提供される(ステップＳ５０２)。この態様において、第一処理イメージは第一入力イメージと同じ、第二処理イメージは第二入力イメージと同じである。本発明は、どのように、第一および第二入力イメージにしたがって、第一および第二処理イメージが提供されるかは限定しない。一態様において、第一および第二入力イメージが保存されて、第一および第二処理イメージとなる。    
図６は、一新規態様によるステップＳ５０２を示す図である。まず、第一および第二入力イメージが圧縮されて、第一圧縮イメージおよび第二圧縮イメージを生成する  (ステップＳ６０１)。３個の第一および第二圧縮イメージがメモリに保存される  (ステップＳ６０２)。保存されたイメージは圧縮されるので、メモリは、多くのメモリ空間を占用せず、よって、メモリのバンド幅が減少する。
【００３４】
メモリに保存される第一および第二圧縮イメージが解凍されて、第一解凍イメージおよび第二解凍イメージを生成する  (ステップＳ６０３)。第一および第二解凍イメージは、それぞれ、第一および第二処理イメージとなる(ステップＳ６０４)。
【００３５】
図５を参照すると、ステップＳ５０３は、第一処理イメージにしたがって、第一圧縮イメージを生成する。この態様において、ステップＳ５０３は、直接、第一処理イメージを圧縮する。別の態様において、第一処理イメージは、基準値にしたがって調整され、調整結果が圧縮されて、第一圧縮イメージを生成する。このほか、本発明は、ステップＳ５０２とＳ６０１の圧縮率を限定しない。たとえば、ステップＳ５０３の圧縮率は、ステップＳ６０１の圧縮率より小さい、高い、または等しい。
【００３６】
別の態様において、ステップＳ５０３中の第一圧縮イメージは、ステップＳ６０１中の第一圧縮イメージと同じかまたは異なる。さらに、第一処理イメージが、ＯＤ工程にしたがって処理され、圧縮されて、第一圧縮イメージを生成する。    
第一圧縮イメージが保存される  (ステップＳ５０４)。一態様において、メモリ  (たとえば、ＤＲＡＭ)が用いられて、第一圧縮イメージを保存する。別の態様において、別のストレージ媒体が用いられて、第一圧縮イメージを保存する。このほか、ステップＳ５０１中の第一および第二入力イメージまたはステップＳ６０２の第一および第二圧縮イメージは、ＤＲＡＭに保存される。
【００３７】
第一圧縮イメージが解凍されて、第一解凍イメージを生成する  (ステップＳ５０５)。本発明は、ステップＳ５０５およびＳ６０３の解凍率を限定しない。一態様において、ステップＳ５０５およびＳ６０３の解凍率は同じである。
【００３８】
第二処理イメージおよび第一解凍イメージが処理されて、第一出力イメージを生成し  (ステップＳ５０６)、その後、第一出力イメージがディスプレイ装置に提供されて、イメージを表示する  (ステップＳ５０７)。本発明は、ディスプレイ装置の種類を限定しない。一態様において、ディスプレイ装置は、自己発光型パネルまたは反射型パネルを含む。
【００３９】
また、一態様において、ステップＳ５０６は、ＯＤ工程にしたがって、第二処理イメージおよび第一解凍イメージを処理しているが、これに限定されない。別の態様において、別のイメージ工程にしたがって、第二処理イメージおよび第一解凍イメージが処理される。
【００４０】
さらに、ディスプレイ装置が、別のイメージを表示することが必要であると仮定する。第二処理イメージが圧縮され、圧縮結果がＤＲＡＭ中に保存されて、保存された第二処理イメージを代替する。    
次に、第三入力イメージが受信される。第三処理イメージは、第三入力イメージにしたがって生成される。このとき、ＤＲＡＭに保存された圧縮結果が解凍され、ＯＤ工程にしたがって、解凍結果および第三処理イメージが処理され、第二出力イメージを生成する。ディスプレイ装置は、第二出力イメージにしたがって、別のイメージを表示する。
【００４１】
別の態様において、第二処理イメージを圧縮する前、第二処理イメージは、基準値にしたがって調整されて、調整データを生成する。その後、調整データが圧縮される。本発明は、基準値のソースを限定しない。一態様において、基準値は第一解凍イメージである。
【００４２】
このほか、本発明は、どのように、基準値にしたがって、第二処理イメージが調整されるかを制限しない。一態様において、ＯＤ工程にしたがって、基準値および第二処理イメージが処理され、処理結果が調整データとなる。
【００４３】
総合すると、前のイメージが圧縮されるので、ディスプレイ装置は、大きい格納スペースのメモリを必要とせず、メモリのバンド幅が減少する。さらに、イメージ解凍後、ＯＤ工程にしたがって、解凍結果  (つまり、前のイメージ)および現在のイメージが処理されるので、ディスプレイ装置は、すみやかにイメージを表示する。  
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００４４】
１００：ディスプレイ装置  
１０１：ディスプレイパネル  
１０２：タイミングコントローラー  
１０３：フレキシブルプリント回路  (ＦＰＣ)  
１１０、１２０：スキャングループ
１３０：データグループ  
１６０：ディスプレイ領域  
１１１~１１８：ゲートドライバ  
１３１~１５４：ソースドライバ  
２０１、３０１、４０１：受信ユニット  
２０２、３０２、４０２：圧縮ユニット  
２０３、３０３、４０３：解凍ユニット  
２０４、３０４、４０４：処理ユニット  
２０５、３０５、４０８：ストレージモジュール
３０６、４０６：調整ユニット  
４０７：圧縮モジュール  
４０９：解凍モジュール  
SI、SI1~SI3：入力イメージ  
SP1~SP3：処理イメージ  
SREF1~SREF3：基準値  
SA1~SA3：調整データ  
SDATA、SDATA1~SDATA3：出力イメージ  
SPC0~SPC3、SAC1~SAC3、SC1~SC3：圧縮イメージ  
SPCD0~SPCD3、SACD1~SACD3、SDC1~SDC3：解凍イメージ  
S501~S507、S601~S604：ステップ。  
【図１】
2013246443.tif 000003
【図２】
2013246443.tif 000004
【図３】
2013246443.tif 000005
【図４】
2013246443.tif 000006
【図５】
2013246443.tif 000007
【図６】
2013246443.tif 000008